(57)【要約】  本発明は、フラットスライダ弁（１）、特に流体弁であって、当該フラットスライダ弁（１）は、少なくとも２つのフラットスライダ（１０ａ，１０ｂ）と、少なくとも２つの弁プレート（１５ａ，１５ｂ）とを有し、第１のフラットスライダ（１０ａ）は第１の弁プレート（１５ａ）と協働し、第２のフラットスライダ（１０ｂ）は第２の弁プレート（１５ｂ）と協働し、第１のフラットスライダ（１０ａ）の位置に応じて、第１の通流通路が開放されるか、または遮断され、かつ／または第２のフラットスライダ（１０ｂ）の位置に応じて、第２の通流通路が開放されるか、または遮断される、フラットスライダ弁（１）に関する。本発明によれば、フラットスライダ（１０ａ，１０ｂ）は、結合エレメント（３０）を介して互いに結合されており、該結合エレメント（３０）は、実質的に、当該フラットスライダ弁（１）の、特に共通の流れ領域（３５）に配置されていることが提案される。
2016540946.tif 000002
【特許請求の範囲】
【請求項１】
フラットスライダ弁（１）、特に流体弁であって、
前記フラットスライダ弁（１）は、
少なくとも２つのフラットスライダ（１０ａ，１０ｂ）と、
少なくとも２つの弁プレート（１５ａ，１５ｂ）と、を備え、
第１のフラットスライダ（１０ａ）は第１の弁プレート（１５ａ）と協働し、第２のフラットスライダ（１０ｂ）は第２の弁プレート（１５ｂ）と協働し、前記第１のフラットスライダ（１０ａ）の位置に応じて、第１の通流通路が開放されるか、または遮断され、かつ／または前記第２のフラットスライダ（１０ｂ）の位置に応じて、第２の通流通路が開放されるか、または遮断される、フラットスライダ弁（１）において、
前記フラットスライダ（１０ａ，１０ｂ）は、結合エレメント（３０）を介して互いに結合されており、該結合エレメント（３０）は、実質的に、前記フラットスライダ弁（１）の共通の流れ領域（３５）に配置されていることを特徴とする、フラットスライダ弁（１）。
【請求項２】
前記フラットスライダ弁（１）は、少なくとも３つの接続部（７，８，９）を有し、前記第１の通流通路は、第１の接続部（７）と第２の接続部（８）とを接続し、前記第２の通流通路は、第２の接続部（８）と第３の接続部（９）とを接続する、請求項１記載のフラットスライダ弁（１）。
【請求項３】
前記フラットスライダ弁（１）は、少なくとも１つのばね（２０）を有し、該ばね（２０）は、少なくとも１つのフラットスライダ（１０ａ，１０ｂ）を少なくとも１つの弁プレート（１５ａ，１５ｂ）に押圧している、請求項１または２記載のフラットスライダ弁（１）。
【請求項４】
少なくとも１つのばね（２０）が、少なくとも１つのフラットスライダ（１０ａ，１０ｂ）の圧力側に配置されている、請求項２または３記載のフラットスライダ弁（１）。
【請求項５】
前記結合エレメント（３０）は、前記弁プレート（１５ａ，１５ｂ）を貫通して前記フラットスライダ（１０ａ，１０ｂ）に作用している、請求項１から４までのいずれか１項記載のフラットスライダ弁（１）。
【請求項６】
アクチュエータ（６０）、特にコイルボディまたは電動モータが、前記結合エレメント（３０）に作用し、特に前記結合エレメント（３０）を動かし、好ましくは移動させる、請求項１から５までのいずれか１項記載のフラットスライダ弁（１）。
【請求項７】
前記結合エレメント（３０）は、連結エレメント（３１）と連動エレメント（３２）とを含み、該連動エレメント（３２）は、少なくとも１つのフラットスライダ（１０ａ，１０ｂ）と協働し、特に少なくとも１つのフラットスライダ（１０ａ，１０ｂ）と結合されており、前記連結エレメント（３１）と前記連動エレメント（３２）とは、実質的に互いに対して角度を成して配置されている、請求項１から６までのいずれか１項記載のフラットスライダ弁（１）。
【請求項８】
前記結合エレメント（３０）は、少なくとも１つのフラットスライダ（１０ａ，１０ｂ）の流出側に配置されている、請求項１から７までのいずれか１項記載のフラットスライダ弁（１）。
【請求項９】
前記フラットスライダ弁（１）は、弁ハウジング（５）を有し、該弁ハウジング（５）は、少なくとも３つの弁ハウジング部分（５１，５２，５３）を含み、該弁ハウジング部分（５１，５２，５３）は、それぞれ１つの接続部（７，８，９）を有する、請求項１から８までのいずれか１項記載のフラットスライダ弁（１）。
【請求項１０】
少なくとも２つの弁ハウジング部分（５１，５２，５３）の間に少なくとも１つのシール部材（４０）が配置されている、請求項９記載のフラットスライダ弁（１）。
【請求項１１】
前記フラットスライダ（１０ａ，１０ｂ）は、２つの弁ハウジング部分（５１，５２，５３）の間に可動に配置されている、請求項９または１０記載のフラットスライダ弁（１）。
【発明の詳細な説明】
【技術分野】
【０００１】
背景技術
本発明は、独立請求項の形の請求項の上位概念部に記載の弁に関する。２つのフラットスライダと２つの弁プレートとを有するフラットスライダ弁が既に知られている。この場合、第１のフラットスライダは第１の弁プレートと協働し、第２のフラットスライダは第２の弁プレートと協働する。さらに、第１のフラットスライダの位置に応じて、第１の通流通路が開放されるか、または遮断され、第２のフラットスライダの位置に応じて、第２の通流通路が開放されるか、または遮断されることが知られている。
【０００２】
発明の開示
主請求項の特徴部に記載の特徴を有する、本発明によるフラットスライダ弁には、構成部分の点数を最小限に抑えることができるという利点がある。したがって、容易な組付けが可能となり、ひいてはコスト節約が可能となる。弁の極めてコンパクトな構造が可能となる。別の利点としては、本発明によるフラットスライダ弁においては操作力が小さくて済むことが挙げられる。
【０００３】
従属請求項の形の各請求項に記載の手段により、主請求項に記載の特徴の有利な改良および改善が得られる。
【０００４】
フラットスライダ弁が、少なくとも３つの接続部を有し、特に第１の接続部と第２の接続部と第３の接続部とを有することが特に有利である。第１の接続部と第２の接続部とは、第１の通流通路によって接続されている。この通流通路は、第１の接続部と第２の接続部との間に配置されていて、これらの接続部を接続する。第３の接続部と第２の接続部とは、第２の通流通路によって接続されている。第２の通流通路は、第３の接続部と第２の接続部との間に配置されていて、これらの接続部を接続する。さらに、通流通路が、特に液体または気体を、１つの接続部から別の接続部に導くことが有利である。所属の弁座に対するフラットスライダの位置は、通流通路の開放または遮断を可能にし、特に通流通路を通る通流量の変更を可能にする。したがって、通流量、特に単位時間当たりの流量を簡単に調整することができ、かつ／または通流通路の通流を阻止することができる。
【０００５】
さらに、フラットスライダ弁が、少なくとも１つのばねを有し、このばねが、少なくとも１つのフラットスライダを少なくとも１つの弁プレートに押圧していることが有利であると考えられる。ばねの使用により、弁プレートおよびフラットスライダの製造時において生じるおそれのある製造誤差が補償される。別の利点としては、弁プレートへのフラットスライダの押圧によって所望の通流遮断が改善されることが挙げられる。したがって、通流通路を遮断したい場合、つまり通流を阻止したい場合に、ばねがシール作用を高める。漏れ流を生ぜしめる結果となる漏れの危険も、最小限に抑えられ得る。
【０００６】
有利な改良形では、少なくとも１つのばねが、少なくとも１つのフラットスライダの圧力側に配置されている。フラットスライダには、圧力側と流出側との間の圧力差に基づき、力が作用する。この力は有利には、フラットスライダを弁プレートに押圧する。圧力側に設けられたばねにより、媒体によるフラットスライダを弁プレートに押圧する力が増幅される。したがって、有利には、フラットスライダと弁プレートとのシール作用が改善され得る。
【０００７】
結合エレメントは弁プレートを貫通してフラットスライダに作用していると簡単である。案内されるべき媒体によってフラットスライダに作用する圧力は、弁プレートに伝達される。弁の組立ても容易にされ得る。さらに、フラットスライダの設計を、この圧力に基づいて、低減された力に適合させることができる。
【０００８】
さらに別の有利な構成では、アクチュエータが結合エレメントに作用する。アクチュエータは、結合エレメントを動かし、さらにこの結合エレメントに結合されたフラットスライダを動かす。アクチュエータの通電によって、結合エレメントが動かされる。アクチュエータ自体は、特に電動モータまたはコイルボディとして形成されていてよい。したがって、極めて簡単でかつ廉価に、しかも少数の構成部分を使用するだけで、弁を動かすことができる。さらに、既に公知のアクチュエータを使用することができる。
【０００９】
結合エレメントが、連結エレメントと連動エレメントとを含み、連動エレメントが、フラットスライダと協働し、特にフラットスライダと結合されていることにより、結合エレメントの特に単純な構成が得られる。連結エレメントと連動エレメントとは、互いに対して角度を成して、特に１０度〜１７０度、好ましくは６０度〜１２０度、とりわけ９０度を成して配置されている。このような構成により、フラットスライダ弁の個々のコンポーネントの有利な配置が可能になる。したがって、構成スペースを減少させることができる。さらに、１つのフラットスライダから別のフラットスライダへの動きの伝達が促進される。
【００１０】
特に、結合エレメントが、少なくとも１つのフラットスライダの流出側に配置されていることが有利である。結合エレメントは、流出領域に、もしくはフラットスライダ弁の出口に位置している。したがって、結合エレメントは、弁部材もしくは弁座の、圧力側とは反対の側に位置している。負荷、特に結合エレメントに加えられる、フラットスライダ弁を通って流れる媒体の、圧力に基づいた力による負荷が、最小限に抑えられている。また、結合エレメントは、通流通路が開放された状態においてしか媒体と接触しない。したがって、適合された、廉価でかつ簡単に組み付けられ得る材料の使用が可能となる。
【００１１】
フラットスライダ弁が、弁ハウジングを有し、この弁ハウジングが、少なくとも３つの弁ハウジング部分を含み、これらの弁ハウジング部分が、それぞれ１つの接続部を有することが有利である。少なくとも３つの弁ハウジング部分から成る弁ハウジングの使用により、個々の弁ハウジング部分の製造のためにかかる手間は最小限に抑えられている。本発明によるフラットスライダ弁のさらに別の改良形では、少なくとも２つの弁ハウジング部分が同一部分として形成されている。これにより、製造、特に組立てを容易にし、ひいてはコストを減少させることができる。
【００１２】
少なくとも２つの弁ハウジング部分の間に少なくとも１つのシール部材が配置されていることが特に有利である。特に、シール部材が、第１の弁ハウジング部分と第２の弁ハウジング部分との間、および／または第２の弁ハウジング部分と第３の弁ハウジング部分との間に配置されている。このシール部材は、各弁ハウジング部分の間のシール作用を高める。さらに、このシール部材は、弁ハウジングからの媒体の流出を招くおそれのある漏れを阻止する。シール部材の使用により、製造を容易にすることができる。
【００１３】
さらに、フラットスライダが、２つの弁ハウジング部分の間に可動に配置されていることが有利である。この場合、これらの弁ハウジング部分は、フラットスライダのためのガイドとして使用される。フラットスライダのガイドの役目を有する別の構成部分は必要とされない。これにより、構成部分点数および組立てステップの回数を減少させることができる。
【００１４】
以下に、本発明の実施形態を図面につき詳しく説明する。
【図面の簡単な説明】
【００１５】
【図１】１つの通流通路を備えたフラットスライダ弁を示す概略図である。
【図２】２つの通流通路を備えたフラットスライダ弁を示す概略図である。
【図３】本発明によるフラットスライダ弁の第１実施形態を示す概略図である。
【図４】本発明によるフラットスライダ弁の別の実施形態を示す概略図である。
【図５】図４に示したフラットスライダ弁に相当するが、フラットスライダの位置が変えられている構成を示す図である。
【図６】図４および図５に示したフラットスライダ弁に相当するが、フラットスライダの位置が変えられている構成を示す図である。
【図７】さらに別の実施形態を示す概略図である。
【図８】図７に示した実施形態に対して変えられた通流方向を有するフラットスライダ弁を示す概略図である。
【図９】図７に示したフラットスライダ弁の分解図である。
【図１０】結合エレメントの別の実施形態を示す概略図である。
【００１６】
図１には、フラットスライダ弁１が示されている。フラットスライダ弁１は弁ハウジング５を有する。この弁ハウジング５は、少なくとも１つの第１の接続部７と、少なくとも１つの第２の接続部８とを有する。弁ハウジング５内では、第１の接続部７と第２の接続部８との間に１つの弁プレート１５と、１つの弁部材１０、特にフラットスライダ１０とが設けられている。フラットスライダ１０は弁プレート１５と協働する。弁プレート１５とフラットスライダ１０とは、特に開口を有する。弁プレート１５は、保持エレメント１８を介して形状結合式に、すなわち係合に基づいた嵌合により、かつ／または摩擦結合式に、すなわち摩擦に基づいて力が伝達されるような結合により、弁ハウジング５に結合されている。弁ハウジング５と保持エレメント１８とは、特に単一部分から一体に形成されていてよい。さらに、特に付加的なシール部材４０により、シール作用が改善され得る。フラットスライダ１０は弁プレート１５に対して可動に支持されている。したがって、フラットスライダ１０は弁プレート１５に対して移動可能に配置されている。弁プレート１５に対するフラットスライダ１０の位置に応じて、１つの通流通路が開放されるか、または遮断される。フラットスライダ１０に設けられた開口と、弁プレート１５に設けられた開口とが重なり合うと、フラットスライダ弁１の通流が可能となる。通流通路の大きさは、フラットスライダ１０の開口と弁プレート１５の開口とにより形成される共通の開口の大きさに依存している。さらに、弁プレート１５に対するフラットスライダ１０の位置に応じて、弁プレート１５またはフラットスライダ１０に並んで１つの開口が形成され、この開口がやはり通流通路を形成し得るか、または通流通路の一部となることも可能である。共通の開口が形成されないと、通流が可能にならない。フラットスライダ弁１は遮断されている。フラットスライダ１０および弁プレート１５に設けられた開口の数は、任意であってもよい。フラットスライダ１０は、ばね２０によって弁プレート１５に押圧されており、このばね２０によりフラットスライダ弁１のシール作用が改善される。フラットスライダ１０は移動エレメント２５に結合されている。この移動エレメント２５は、弁ハウジング５の外部に位置する装置によってフラットスライダ１０の移動を可能にする。たとえば、図１には、第１の接続部７の領域に流入部が配置されている。したがって、フラットスライダ弁１の圧力側は、第１の接続部７の側に位置している。圧力差に基づき、フラットスライダ１０は弁プレート１５に押圧される。ばね２０はフラットスライダ弁１の圧力側に位置している。ばね２０は、フラットスライダ１０に対する圧力差による力を増幅させる。図１に示した矢印は、フラットスライダ弁１の流れ方向に相当する。
【００１７】
図２には、切換弁として構成されているフラットスライダ弁１が図示されている。このフラットスライダ弁１は３つの接続部７，８，９を有する。第１の接続部７と第２の接続部８との間には、第１のフラットスライダ１０ａと第１の弁プレート１５ａとが配置されている。第３の接続部９と第２の接続部８との間には、第２のフラットスライダ１０ｂと第２の弁プレート１５ｂとが配置されている。各弁プレート１５ａ；１５ｂに対するフラットスライダ１０ａ；１０ｂの位置に応じて、第１の通流通路または相応して第２の通流通路が形成される。２つのばね２０ａ，２０ｂにより、それぞれ対応するフラットスライダ１０ａ；１０ｂが弁プレート１５ａ；１５ｂに押圧されている。さらに、フラットスライダ弁１は共通の流れ領域３５を有する。共通の流れ領域３５は、両フラットスライダ１０ａ，１０ｂと、第２の接続部８との間に配置されている。共通の流れ領域３５は、第１の接続部７を通って流れる媒体と、第３の接続部９を通って流れる媒体とによって通流される。
【００１８】
フラットスライダ弁１が流体弁として使用される場合、第１のフラットスライダ１０ａと第１の弁プレート１５ａとが、第１の接続部７と、共通の流れ領域３５との間の第１の通流部を開放し、かつ／またはこの第１の通流部を遮断する。第２のフラットスライダ１０ｂと第２の弁プレート１５ｂとは、第３の接続部９と、共通の流れ領域３５との間の第２の通流部を開放し、かつ／またはこの第２の通流部を遮断する。第１の通流部の媒体と、第２の通流部の媒体とは、共通の流れ領域３５において合流する。共通の流れ領域３５は第２の接続部８に接続されているか、もしくは第２の接続部８の一部である。
【００１９】
フラットスライダ１０ａ，１０ｂを動かすために、これらのフラットスライダ１０ａ，１０ｂが１つの結合エレメント３０に結合されている。この結合エレメント３０は、第１のフラットスライダ１０ａと第２のフラットスライダ１０ｂとを同時に動かすことを可能にし、特に同時に移動させることを可能にする。結合エレメント３０は移動エレメント２５と協働する。シール部材４２によって、通流する媒体が移動エレメント２５を介してフラットスライダ弁１から流出することが阻止される。第１の接続部７と第３の接続部９との間での媒体の混合を阻止するためには、第１の接続部７と第３の接続部９とが互いに対してシールされなければならない。このためには、結合エレメント３０が中間シール部材４５を貫通して延びている。したがって、第３の接続部９に対する第１の接続部７のシールおよび第１の接続部７に対する第３の接続部９のシールのためには、手間や費用のかかる解決手段が必要とされる。さらに、中間シール部材４５はフラットスライダ弁１の操作力を高めてしまう。また、中間シール部材４５と共に別の構成部分も必要とされる。
【００２０】
図３には、本発明によるフラットスライダ弁１の第１実施形態が示されている。このフラットスライダ弁１は弁ハウジング５を有する。この弁ハウジング５内には、第１のフラットスライダ１０ａと、第２のフラットスライダ１０ｂと、第１の弁プレート１５ａと、第２の弁プレート１５ｂと、第１のばね２０ａと、第２のばね２０ｂとが配置されている。第１のフラットスライダ１０ａは、第１の弁プレート１５ａおよび第１のばね２０ａと協働する。第２のフラットスライダ１０ｂは、第２の弁プレート１５ｂおよび第２のばね２０ｂと協働する。第１のフラットスライダ１０ａと第１の弁プレート１５ａとは、第１の接続部７から共通の流れ領域３５への通流通路もしくは共通の流れ領域３５から第１の接続部７への通流通路を開放するか、またはこの通流通路を遮断する。第２のフラットスライダ１０ｂと第２の弁プレート１５ｂとは、第３の接続部９から共通の流れ領域３５への通流通路もしくは共通の流れ領域３５から第３の接続部９への通流通路を開放するか、またはこの通流通路を遮断する。第１のばね２０ａおよび第２のばね２０ｂは、圧力側に配置されている。好ましくは、第１のフラットスライダ１０ａおよび第２のフラットスライダ１０ｂの圧力側は第１の接続部７および第３の接続部９に対応配置されている。それに対して、各フラットスライダ１０ａ；１０ｂの流出側は、共通の流れ領域３５に対応配置されている。媒体は、第１の接続部７または第３の接続部９を介してフラットスライダ弁１に流入し、そして共通の流れ領域３５と第２の接続部８とを介してフラットスライダ弁１から流出する。
【００２１】
結合エレメント３０は、第１のフラットスライダ１０ａを第２のフラットスライダ１０ｂに結合している。結合エレメント３０は移動エレメント２５に結合されている。結合エレメント３０と移動エレメント２５とは、特に一体に形成されていてよい。シール部材４２によって、通流する媒体が移動エレメント２５を介してフラットスライダ弁１から流出することが阻止される。結合エレメント３０は、共通の流れ領域３５に位置している。この場合、結合エレメント３０は、ほぼ完全にフラットスライダ弁１の共通の流れ領域３５内に位置している。結合エレメント３０は、第１のフラットスライダ１０ａと第２のフラットスライダ１０ｂと、さらに全ての別のフラットスライダ１０とに結合されている。結合エレメント３０は、弁プレート１５を貫通してフラットスライダ１０にまで延びており、特に結合エレメント３０は第１の弁プレート１５ａを貫通して第１のフラットスライダ１０ａにまで延びており、かつ第２の弁プレート１５ｂを貫通して第２のフラットスライダ１０ｂにまで延びている。
【００２２】
結合エレメント３０は、連結エレメント３１と連動エレメント３２とを含む。連結エレメント３１は、少なくとも１つの連動エレメント３２に結合されている。図３に示した実施形態では、結合エレメント３０が、第１の連動エレメント３２ａと、第２の連動エレメント３２ｂと、１つの連結エレメント３１とを含む。第１の連動エレメント３２ａは、第１の弁プレート１５ａを貫通して第１のフラットスライダ１０ａにまで延びている。第１の連動エレメント３２ａは、第１のフラットスライダ１０ａに結合されている。第２の連動エレメント３２ｂは第２の弁プレート１５ｂを貫通して第２のフラットスライダ１０ｂにまで延びている。第２の連動エレメント３２ｂは、第２のフラットスライダ１０ｂに結合されている。第１の連動エレメント３２ａおよび第２の連動エレメント３２ｂは、連結エレメント３１に対して角度を成して配置されている。特に、第１の連動エレメント３２ａおよび第２の連動エレメント３２ｂは、１０度よりも大きな角度を成して、好ましくは９０度の範囲の角度を成して、つまり連結エレメント３１に対して直角を成して、配置されている。両連動エレメント３２ａ，３２ｂと連結エレメント３１とは、一体に形成されていてよい。また、両フラットスライダ１０ａ，１０ｂと両連動エレメント３２ａ，３２ｂも、一体に形成されていてよい。
【００２３】
結合エレメント３０を動かす力は、中間シール部材４５が存在しないことに基づき、図２に示した構造による動かす力に比べて低減されている。さらに、図２に示した構造に比べて少ない構成部分点数しか必要とされない。
【００２４】
図４には、本発明によるフラットスライダ弁１の別の実施形態が示されている。図４には、弁ハウジング５の一部が、フラットスライダ１０を案内するフレームとして示されている。弁ハウジング５の別の部分ならびに各接続部７，８，９は、図面を見易くするという理由から図４には図示されていない。弁ハウジング５とフラットスライダ１０との間には、少なくとも１つのばね２０が設けられている。さらに、第１のフラットスライダ１０ａと第１の弁プレート１５ａとが図示されている。第１のフラットスライダ１０ａと第１の弁プレート１５ａとは互いに協働する。第１のフラットスライダ１０ａは開口１１を有し、第１の弁プレート１５ａは開口１６を有する。図４に示したように、開口１１と開口１６とは互いに整合しており、したがってフラットスライダ弁１を通る媒体の通流を可能にしている。互いに整合した開口１１，１６は通流通路を形成しており、特に通流通路の一部を形成している。この通流通路は、１つのフラットスライダ１０または１つの弁プレート１５に設けられた開口を含む。また、通流通路は、弁プレート１５とフラットスライダ１０との重なりが存在しないことに基づき生ぜしめられる１つの開口によっても形成される。
【００２５】
媒体は、特に液体または気体であってもよい。第２のフラットスライダ１０ｂも、開口１１を有する。しかし、この開口１１は図４に示したように、第２の弁プレート１５ｂに設けられた開口１６に対してずらされて位置している。したがって、フラットスライダ弁１を通る媒体の通流は不可能となる。通流部は遮断されているか、もしくは閉鎖されている。したがって、通流通路は遮断されている。
【００２６】
第１のフラットスライダ１０ａと第２のフラットスライダ１０ｂとは、結合エレメント３０を介して形状結合式に、すなわち係合に基づいた嵌合により、かつ／または摩擦結合式に、すなわち摩擦に基づいて力が伝達されるような結合により、互いに結合されている。両フラットスライダ１０のうちのいずれか一方のフラットスライダが動かされると、結合エレメント３０を介して他方のフラットスライダ１０も一緒に動かされ、特に一緒に移動される。フラットスライダ１０の動きもしくは移動は、移動エレメント２５を介して行われ得るか、または直接に結合エレメント３０を介して行われ得る。付加的なシール部材４０ａ，４０ｂによって、弁ハウジング５に対する弁プレート１５の、改善されたシールが可能となる。
【００２７】
弁ハウジング５とフラットスライダ１０との間には、特にばね２０が配置されていてよい。このばね２０は、フラットスライダ１０を弁プレート１５に押圧している。
【００２８】
第１のフラットスライダ１０ａは、第１の通流通路を遮断するか、または開放する。第１の通流通路は、第１の接続部（図４には、図面を見易くするために図示されていない）と、共通の流れ領域（図４には、図面を見易くするために図示されていない）との間に位置している。第２のフラットスライダ１０ｂは、第２の通流通路を遮断するか、または開放する。第２の通流通路は、第３の接続部（図４には、図面を見易くするために図示されていない）と、共通の流れ領域（図４には、図面を見易くするために図示されていない）とを接続する。結合エレメント３０は、共通の流れ領域に配置されている。
【００２９】
図５に示したフラットスライダ弁１は、図４に示したフラットスライダ弁１に相当しているが、ただし図５に示したフラットスライダ弁１では、弁プレート１５ａ，１５ｂに対するフラットスライダ１０ａ，１０ｂの位置が別の位置に変えられている。フラットスライダ１０ａ，１０ｂに設けられた開口１１は、弁プレート１５ａ，１５ｂによって覆われている。弁プレート１５ａ，１５ｂに設けられた開口１６は、フラットスライダ１０ａ，１０ｂによって覆われている。したがって、フラットスライダ弁１の通流は不可能となる。通流通路は遮断されている。フラットスライダ弁１の通流を可能にする通路は存在していない。
【００３０】
図６には、図４および図５に示したフラットスライダ弁１が図示されているが、ただし、図６に示したフラットスライダ弁１では、弁プレート１５ａ，１５ｂに対するフラットスライダ１０ａ，１０ｂの位置がさらに別の位置に変えられている。図４、図５および図６における符号は同一である。図６に示した実施形態では、第２のフラットスライダ１０ｂの開口１１が、第２の弁プレート１５ｂの開口１６と共に、フラットスライダ弁１を通る通流通路を形成している。たとえば、各フラットスライダ１０ａ；１０ｂは、それぞれ専用の接続部に対応しており、結合エレメント３０は１つの共通の流れ領域３５に位置している。たとえば、第１のフラットスライダ１０ａは第１の接続部に対応していて、第２のフラットスライダ１０ｂは第２の接続部に対応している。図４に示した両フラットスライダ１０ａ，１０ｂの位置では、共通の流れ領域と第１の接続部との間での媒体の通流が可能となる。図５に示した両フラットスライダ１０ａ，１０ｂの位置では、共通の流れ領域と第１の接続部または第３の接続部との間での媒体の通流は不可能となる。図６に示した両フラットスライダ１０ａ，１０ｂの位置では、共通の流れ領域と、第２の接続部との間での媒体の通流が可能となる。
【００３１】
図７には、本発明によるフラットスライダ弁１のさらに別の実施形態が示されている。フラットスライダ弁１は弁ハウジング５を有する。この弁ハウジング５は、複数の弁ハウジング部分５１，５２，５３を有する。第１の弁ハウジング部分５１は、第１の接続部７を含む。第２の弁ハウジング部分５２は、共通の流れ領域３５および／または共通のフロー領域と、第２の接続部８とを含む。共通の流れ領域３５は第２の接続部８に接続されている。第１の弁ハウジング部分５１と第２の弁ハウジング部分５２とは、特に組み立てられ、接着され、溶接され、またはクリップ結合される。第１の弁ハウジング部分５１と第２の弁ハウジング部分５２との間には、第１の弁プレート１５ａと、第１のフラットスライダ１０ａと、第１のばね２０ａと、第１のシール部材４０ａとが配置されている。第１の弁プレート１５ａは、第２の弁ハウジング部分５２に接触している。
【００３２】
第１のシール部材４０ａは第２の弁ハウジング部分５２と、第１の弁ハウジング部分５１と、第１の弁プレート１５ａとの間に配置されている。この第１のシール部材４０ａは、第１の接続部７と周辺部との間または第１の接続部７と共通の流れ領域３５との間に生じるおそれのある漏れを阻止する。第１の弁プレート１５ａには、第１のフラットスライダ１０ａが、第１のばね２０ａによって押圧され、特にプレスされる。第１のフラットスライダ１０ａと第１の弁プレート１５ａとには、それぞれ開口が設けられており、これらの開口は、互いに相対的な位置に応じて、通流を可能にするか、または通流を遮断する。
【００３３】
製造を簡単にするために、第３の弁ハウジング部分５３は、第１の弁ハウジング部分５１と同一に形成されていてよい。特に、第１および第３の両弁ハウジング部分５１，５３の機能形式は同じである。第３の弁ハウジング部分５３は第３の接続部９を含む。第３の弁ハウジング部分５３と第２の弁ハウジング部分５２とは、特に組み立てられ、接着され、溶接され、またはクリップ結合される。第３の弁ハウジング部分５３と第２の弁ハウジング部分５２との間には、第２の弁プレート１５ｂと、第２のフラットスライダ１０ｂと、第２のばね２０ｂと、第２のシール部材４０ｂとが配置されている。第２の弁プレート１５ｂは第２の弁ハウジング部分５２に接触している。第２のシール部材４０ｂは第２の弁ハウジング部分５２と、第３の弁ハウジング部分５３と、第２の弁プレート１５ｂとの間に配置されている。この第２のシール部材４０ｂは、第３の接続部９と周辺部との間または第３の接続部９と共通の流れ領域３５との間に生じるおそれのある漏れを阻止する。第２の弁プレート１５ｂには、第２のフラットスライダ１０ｂが、第２のばね２０ｂによって押圧され、特にプレスされる。第２のフラットスライダ１０ｂと第２の弁プレート１５ｂとには、それぞれ開口が設けられており、これらの開口は、互いに相対的な位置に応じて、通流を可能にするか、または遮断する。
【００３４】
したがって、第３の弁ハウジング部分５３の第２のフラットスライダ１０ｂと第２の弁プレート１５ｂと第２のばね２０ｂと第２のシール部材４０ｂの機能形式は、第１の弁ハウジング部分５１の第１のフラットスライダ１０ａと第１の弁プレート１５ａと第１のばね２０ａと第１のシール部材４０ａと同一である。
【００３５】
さらに、両フラットスライダ１０ａ，１０ｂは、可動に、特に移動可能に、支持されている。移動可能であることに基づき、フラットスライダ１０の開口を弁プレート１５の開口と重なるように動かし、通流を可能にすることが可能となる。しかし、弁プレート１５の開口をフラットスライダ１０の開口によって覆うか、またフラットスライダ１０の開口を弁プレート１５の開口によって覆うこともできる。この場合には、弁プレート１５およびフラットスライダ１０の領域を通る媒体の通流が阻止されているか、もしくは遮断されている。さらに、弁プレート１５とフラットスライダ１０との重なりが存在していないことに基づいて、通流通路を開放することができる。通流通路は、特に、フラットスライダ１０と弁プレート１５との協働時に生じる任意の多数の通路もしくは開口から構成され得る。
【００３６】
第１のフラットスライダ１０ａおよび第２のフラットスライダ１０ｂは、結合エレメント３０に結合されている。結合エレメント３０は、１つの連結エレメント３１と、少なくとも１つの連動エレメント３２とを含む。連動エレメント３２は、フラットスライダ１０を連結エレメント３１に結合している。連動エレメント３２はこの場合、弁プレート１５を貫通して延びている。図７に示した実施形態では、第１の連動エレメント３２ａが第１のフラットスライダ１０ａに結合されていて、第２の連動エレメント３２ｂが第２のフラットスライダ１０ｂに結合されている。第１および第２の両連動エレメント３２ａ，３２ｂは、同軸に配置されている。両連動エレメント３２ａ，３２ｂは、角度を成して、特に図示されているように直角の角度を成して、連結エレメント３１に結合されている。両連動エレメント３２ａ，３２ｂは、一体に形成されていてよい。
【００３７】
結合エレメント３０は、フラットスライダ弁１の通流される領域内にほぼ完全に、特に完全に、位置している。結合エレメント３０は、フラットスライダ弁１の、通流される共通の流れ領域３５に位置している。したがって、結合エレメント３０は、第１の接続部７を通って流れる媒体の流れによっても、第２の接続部８を通って流れる媒体の流れによっても、第３の接続部９を通って流れる媒体の流れによっても、取り囲まれる。結合エレメント３０は移動エレメント２５に結合されている。移動エレメント２５は、アクチュエータ６０によって動かされる。結合エレメント３０と移動エレメント２５とは、特に一体に形成されていてよい。
【００３８】
アクチュエータ６０は、電動モータまたは電磁石として形成されていてよい。アクチュエータ６０が、たとえば電磁石である場合、電磁石を通電させることにより、引付けエレメントが引き付けられる。引付けエレメントは、移動エレメント２５に結合されている。引付けエレメントと移動エレメント２５とは、特に一体に形成されている。したがって、アクチュエータ６０が通電されると、結合エレメント３０が変位させられ、ひいては両フラットスライダ１０ａ，１０ｂが変位させられる。戻しばね６５によって、結合エレメント３０と、結合エレメント３０に結合された両フラットスライダ１０ａ，１０ｂとは、初期位置へ戻される。
【００３９】
アクチュエータ６０が電動モータとして形成されている場合には、アクチュエータ６０は通電時に回転を開始する。スピンドルによって、電動モータの回転は長手方向移動へ変換される。この長手方向運動は、引き続き移動エレメント２５を介して結合エレメント３０に伝達され得る。
【００４０】
さらに別の実施形態では、アクチュエータ６０が電動モータとして形成されていてよい。結合エレメント３０はスピンドルとして機能し、このスピンドルに設けられたねじ山に、連動エレメント３２ａ，３２ｂが係合している。電動モータの回転によって、連動エレメント３２ａ，３２ｂは移動させられ、特に長手方向に移動させられる。
【００４１】
図８に示した実施形態では、フラットスライダ弁を通る媒体の流れ方向が、図７に示した実施形態における流れ方向に対して変えられている。図７に示したフラットスライダ弁１では、流入部が第１の接続部７と第３の接続部９とに相当し、流出部が第２の接続部８に相当している。図８に示したフラットスライダ弁１では、流入部が第２の接続部８に相当し、流出部が第１の接続部７と第３の接続部９とに相当している。図８に示したフラットスライダ弁１では、フラットスライダ１０と弁プレート１５とばね２０との配置が変えられている。図７に示したフラットスライダ弁１では、両ばね２０ａ，２０ｂが流入領域もしくは圧力領域に、つまりフラットスライダ弁１の第１の接続部７と第３の接続部９との領域に、位置している。図８に示したフラットスライダ弁１では、流入領域が、共通に通流される共通の流れ領域３５に位置するので、両ばね２０ａ，２０ｂはこの共通の流れ領域３５に対応配置されている。ばね２０は、フラットスライダ１０を弁プレート１５に押圧している。ばね２０は、流入通路内の媒体の圧力に基づいた力によって支援される。結合エレメント３０は、共通に通流される共通の流れ領域３５に位置している。結合エレメント３０の機能形式および構造は、図７に示した結合エレメント３０の機能形式と同一である。
【００４２】
図９には、図７に示した本発明によるフラットスライダ弁１の分解図が示されている。弁ハウジング５は第１の弁ハウジング部分５１と、第２の弁ハウジング部分５２と、第３の弁ハウジング部分５３とを含む。さらに、第１の弁ハウジング部分５１の領域と、第２の弁ハウジング部分５２の領域とには、第１のばね２０ａと、第１のフラットスライダ１０ａと、第１のシール部材４０ａと、第１の弁プレート１５ａとが配置されている。第２の弁ハウジング部分５２と第３の弁ハウジング部分５３との間には、第２のばね２０ｂと、第２のフラットスライダ１０ｂと、第２のシール部材４０ｂと、第２の弁プレート１５ｂとが配置されている。機能形式および構造は、図７に示したものに相当している。結合エレメント３０は、連結エレメント３１を含む。この連結エレメント３１は、一方の端領域に２つのひだ部８０を有する。連結エレメント３１とひだ部８０とは、特に一体に形成されている。両ひだ部８０は、連動エレメント３２ａ，３２ｂを案内するために用いられる。両ひだ部８０を介して、連結エレメント３１は、少なくとも一方の連動エレメント３２ａおよび／または他方の連動エレメント３２ｂに形状結合式に、つまり係合に基づいた嵌合により、結合されている。したがって、結合エレメント３０を介してフラットスライダ１０ａ，１０ｂを動かすことが可能となる。フラットスライダ１０は連動エレメント３２と一体に形成されていてよい。
【００４３】
図１０には、本発明によるフラットスライダ弁１に用いられる結合エレメント３０のさらに別の実施形態が示されている。この結合エレメント３０は、本発明によるフラットスライダ弁１において使用され得る。結合エレメント３０は１つの連動エレメント３２と、１つの連結エレメント３１とを有する。連結エレメント３１は取付け用通路７０を有する。連動エレメント３２は、特にピンとして形成されている。連動エレメント３２は、２つの端部７４ａ，７４ｂを有する。取付け用通路７０内には、連動エレメント３２が、特に角度剛性的もしくは曲げ剛性的に、かつセンタリングされて嵌め込まれている。図１０に示した連動エレメント３２は、第１のフラットスライダ１０ａおよび第２のフラットスライダ１０ｂと協働する。このためには、第１のフラットスライダ１０ａおよび第２のフラットスライダ１０ｂが、それぞれ１つの収容エレメント７２ａ，７２ｂ、特に孔、凹部または溝を有する。一方の収容エレメント７２ａ内には、連動エレメント３２の一方の端部７４ａが係合しており、他方の収容エレメント７２ｂ内には、連動エレメント３２の他方の端部７４ｂが係合している。連動エレメント３２とフラットスライダ１０ａ，１０ｂとは、特にルーズな嵌合または形状結合、つまり係合に基づいた嵌合を介して、互いに協働するか、もしくは互いに結合されている。連結エレメント３１は、連動エレメント３２を介して第１のフラットスライダ１０ａと第２のフラットスライダ１０ｂとにアクチュエータ６０の動きを伝達する。アクチュエータ６０は、連結エレメント３１と連動エレメント３２とを介して両フラットスライダ１０ａ，１０ｂに作用する。
【００４４】
図１０に示した構成は、特に図７〜図９に示したフラットスライダ弁１において使用され得る。図面を見易くするために、図７〜図９に図示されている別の構成部分、特に弁ハウジング５、接続部７，８，９等は、図１０には図示されていない。
【００４５】
さらに別の実施形態では、アクチュエータ６０が、直接にフラットスライダ１０ａ，１０ｂに作用する。このためには、フラットスライダ１０ａ，１０ｂが、引付けエレメントを有するか、もしくは引付けエレメントを含む。特に、フラットスライダ１０ａ，１０ｂは少なくとも部分的に、アクチュエータ６０の磁力によって引き付けられるか、もしくは反発され得る材料を含むことができる。さらに、スピンドル、歯車等を介して、アクチュエータ６０からいずれか１つのフラットスライダ１０へ力を伝達することができる。したがって、アクチュエータ６０の力は直接に第１のフラットスライダ１０ａおよび／または第２のフラットスライダ１０ｂに作用する。結合エレメント３０は、引き続き第１のフラットスライダ１０ａの動きを第２のフラットスライダ１０ｂへ伝達し、かつ／または第２のフラットスライダ１０ｂの動きを第１のフラットスライダ１０ａへ伝達する。アクチュエータ６０による一方または両方のフラットスライダ１０ａ，１０ｂへの直接的な力作用に基づき、てこ腕なしの均一な力分配が促進される。
【００４６】
フラットスライダ弁１は、任意の多数のフラットスライダ１０、弁プレート１５、接続部および／またはばね２０によって拡張され得る。
【図１】
2016540946.tif 000003
【図２】
2016540946.tif 000004
【図３】
2016540946.tif 000005
【図４】
2016540946.tif 000006
【図５】
2016540946.tif 000007
【図６】
2016540946.tif 000008
【図７】
2016540946.tif 000009
【図８】
2016540946.tif 000010
【図９】
2016540946.tif 000011
【図１０】
2016540946.tif 000012
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
フラットスライダ弁（１）であって、
前記フラットスライダ弁（１）は、
少なくとも２つのフラットスライダ（１０ａ，１０ｂ）と、
少なくとも２つの弁プレート（１５ａ，１５ｂ）と、を備え、
第１のフラットスライダ（１０ａ）は第１の弁プレート（１５ａ）と協働し、第２のフラットスライダ（１０ｂ）は第２の弁プレート（１５ｂ）と協働し、前記第１のフラットスライダ（１０ａ）の位置に応じて、第１の通流通路が開放されるか、または遮断され、かつ／または前記第２のフラットスライダ（１０ｂ）の位置に応じて、第２の通流通路が開放されるか、または遮断される、フラットスライダ弁（１）において、
前記フラットスライダ（１０ａ，１０ｂ）は、結合エレメント（３０）を介して互いに結合されており、該結合エレメント（３０）は、前記フラットスライダ弁（１）の流れ領域（３５）に配置されていることを特徴とする、フラットスライダ弁（１）。
【請求項２】
前記フラットスライダ弁（１）は、流体弁である、請求項１記載のフラットスライダ弁（１）。
【請求項３】
前記結合エレメント（３０）は、前記フラットスライダ弁（１）の共通の流れ領域（３５）に配置されている、請求項１又は２記載のフラットスライダ弁（１）。
【請求項４】
前記フラットスライダ弁（１）は、少なくとも３つの接続部（７，８，９）を有し、前記第１の通流通路は、第１の接続部（７）と第２の接続部（８）とを接続し、前記第２の通流通路は、第２の接続部（８）と第３の接続部（９）とを接続する、請求項１から３までのいずれか１項記載のフラットスライダ弁（１）。
【請求項５】
前記フラットスライダ弁（１）は、少なくとも１つのばね（２０）を有し、該ばね（２０）は、少なくとも１つのフラットスライダ（１０ａ，１０ｂ）を少なくとも１つの弁プレート（１５ａ，１５ｂ）に押圧している、請求項１から４までのいずれか１項記載のフラットスライダ弁（１）。
【請求項６】
少なくとも１つのばね（２０）が、少なくとも１つのフラットスライダ（１０ａ，１０ｂ）の圧力側に配置されている、請求項４または５記載のフラットスライダ弁（１）。
【請求項７】
前記結合エレメント（３０）は、前記弁プレート（１５ａ，１５ｂ）を貫通して前記フラットスライダ（１０ａ，１０ｂ）に作用している、請求項１から６までのいずれか１項記載のフラットスライダ弁（１）。
【請求項８】
アクチュエータ（６０）が、前記結合エレメント（３０）に作用する、請求項１から７までのいずれか１項記載のフラットスライダ弁（１）。
【請求項９】
前記アクチュエータ（６０）は、コイルボディまたは電動モータである、請求項８項記載のフラットスライダ弁（１）。
【請求項１０】
前記アクチュエータ（６０）は、前記結合エレメント（３０）を動かす、又は移動させる、請求項８又は９記載のフラットスライダ弁（１）。
【請求項１１】
前記結合エレメント（３０）は、連結エレメント（３１）と連動エレメント（３２）とを含み、該連動エレメント（３２）は、少なくとも１つのフラットスライダ（１０ａ，１０ｂ）と協働し、前記連結エレメント（３１）と前記連動エレメント（３２）とは、互いに対して角度を成して配置されている、請求項１から１０までのいずれか１項記載のフラットスライダ弁（１）。
【請求項１２】
前記連動エレメント（３２）は、少なくとも１つのフラットスライダ（１０ａ，１０ｂ）と結合されている、請求項１１記載のフラットスライダ弁（１）。
【請求項１３】
前記結合エレメント（３０）は、少なくとも１つのフラットスライダ（１０ａ，１０ｂ）の流出側に配置されている、請求項１から１２までのいずれか１項記載のフラットスライダ弁（１）。
【請求項１４】
前記フラットスライダ弁（１）は、弁ハウジング（５）を有し、該弁ハウジング（５）は、少なくとも３つの弁ハウジング部分（５１，５２，５３）を含み、該弁ハウジング部分（５１，５２，５３）は、それぞれ１つの接続部（７，８，９）を有する、請求項１から１３までのいずれか１項記載のフラットスライダ弁（１）。
【請求項１５】
少なくとも２つの弁ハウジング部分（５１，５２，５３）の間に少なくとも１つのシール部材（４０）が配置されている、請求項１４記載のフラットスライダ弁（１）。
【請求項１６】
前記フラットスライダ（１０ａ，１０ｂ）は、２つの弁ハウジング部分（５１，５２，５３）の間に可動に配置されている、請求項１４または１５記載のフラットスライダ弁（１）。
【国際調査報告】
2016540946.tif 000013
2016540946.tif 000014
2016540946.tif 000015
2016540946.tif 000016
2016540946.tif 000017
2016540946.tif 000018